(57)【要約】【課題】基板を共通化して在庫負担を低減するとともに、別個の機種設定作業を不要にすることができる機種設定ユニット及び画像形成装置を提供する。【解決手段】機種情報設定部３１は、取付部２１、２２、２３と取付部１１、１２、１３を螺子５で固定した場合、接地レベルの電位を検出し、取付部２１、２２、２３に螺子５を固定していない場合には、所定の電圧Ｖｃｃを検出する。例えば、機種情報設定部３１は、取付部２１、２２、２３の電位が、それぞれＶｃｃ、０、０である場合、機種を下位機種であると判定する。また、取付部２１、２２、２３の電位が、それぞれ０、Ｖｃｃ、０である場合、中位機種であると判定する。また、取付部２１、２２、２３の電位が、それぞれ０、０、Ｖｃｃである場合、上位機種であると判定する。【選択図】図１
2008225371.tif 000002
【特許請求の範囲】
【請求項１】
設定により複数の機種のいずれかに使用可能な基板と、該基板を複数の取付箇所で取り付け可能な金属製の取付部材とを備え、電気機器の機種を設定する機種設定ユニットにおいて、
前記基板の取付箇所に導電性パターンを形成してあり、
前記取付箇所で前記導電性パターン及び取付部材を電気的に接続する接続部材と、
前記取付箇所それぞれの電気的接続に応じていずれかの機種を設定する機種設定手段と
を備えることを特徴とする機種設定ユニット。
【請求項２】
前記接続部材が接続されていない取付箇所に前記基板の導電性パターン及び取付部材を絶縁する絶縁部材を備えることを特徴とする請求項１に記載の機種設定ユニット。
【請求項３】
前記取付部材の取付箇所に前記基板の導電性パターンと当接する取り外し可能な接続部を備え、
前記接続部材が接続されていない取付箇所で前記接続部を取り外してあることを特徴とする請求項１に記載の機種設定ユニット。
【請求項４】
前記基板の各取付箇所に所定の電圧を印加する電圧印加手段と、
前記取付箇所それぞれの電圧を検出する電圧検出手段と
を備え、
前記機種設定手段は、
前記電圧検出手段で検出した電圧に応じて機種を設定するように構成してあることを特徴とする請求項１乃至請求項３のいずれかに記載の機種設定ユニット。
【請求項５】
前記取付部材は、接地レベルの電位にしてあり、
前記接続部材は、前記基板の取付箇所の電位を接地レベルにするように構成してあることを特徴とする請求項４に記載の機種設定ユニット。
【請求項６】
前記接続部材は、螺子であり、
前記基板及び取付部材それぞれは、前記螺子を挿通する挿通孔を備え、
前記絶縁部材は、前記挿通孔を遮蔽するように設けてあることを特徴とする請求項２に記載の機種設定ユニット。
【請求項７】
前記取付箇所で前記基板の両面に導電性パターンを形成してあり、
該導電性パターンに接続された導電性パターンを前記挿通孔表面に形成してあることを特徴とする請求項６に記載の機種設定ユニット。
【請求項８】
前記取付部材は、
筐体又は該筐体に固定した板状体であることを特徴とする請求項１乃至請求項７のいずれかに記載の機種設定ユニット。
【請求項９】
請求項１乃至請求項８のいずれかに記載の機種設定ユニットと、該機種設定ユニットで設定した機種に応じた処理を行う画像形成処理部とを備える画像形成装置。
【発明の詳細な説明】
【技術分野】
【０００１】
本発明は、電気機器の機種を低コストかつ簡便な作業で設定することができる機種設定ユニット及び該機種設定ユニットを備える画像形成装置に関する。
【背景技術】
【０００２】
近年のインターネットに代表される情報処理の高速化又は情報量の増大化に伴って、デジタル複写機、複合機、プリンタ装置などの画像形成装置は、ユーザの多様なニーズに応えるため、多数の機種が製品化され、また、多くのオプション機能を備えている。
【０００３】
このような画像形成装置は、例えば、原稿読取機構、画像処理機構、印字処理機構、用紙搬送制御機構など多くの機構を備え、各機構を構成するための多数の回路基板を搭載している。これらの回路基板をいずれの機種に用いるかの設定には、例えば、チップ抵抗方式が用いられている。これは、回路基板に複数の入力ポートを設け、チップ抵抗を用いて各入力ポートの電圧を所定の電圧又は接地レベルに設定することにより機種を設定するものである。
【０００４】
また、回路基板の機種設定には、ＤＩＰスイッチ方式がある。ＤＩＰスイッチ方式は、回路基板を予め複数の機種で動作可能に設計しておき、ＤＩＰスイッチを変更することにより、機種設定を行うものである。
【０００５】
また、複数の機種に対応可能なプログラムを記憶した回路基板を、接続端子を備える積層バスバーに連結させ、接続端子の長短に応じた機種信号を取得して機種を設定することができる電子制御ユニットが提案されている（特許文献１参照）。
【特許文献１】特開２００４−１０３３０１号公報
【発明の開示】
【発明が解決しようとする課題】
【０００６】
しかしながら、従来のチップ抵抗方式にあっては、機種毎に異なる回路基板を予め用意しておく必要があり、回路基板の在庫負担が増大するという問題があった。また、ＤＩＰスイッチ方式は、回路基板を共通化することができるものの、回路基板を取り付ける際にＤＩＰスイッチの設定を行う必要があり設定作業が煩雑であるのみならず、誤って機種を設定するおそれもあった。また、特許文献１の例にあっては、機種毎に異なる積層バスバーを予め用意しておく必要があり、また、電子制御ユニットを組み立てる際には、所要の積層バスバーを組み込む必要があり、ＤＩＰスイッチによる設定と同様に作業が煩雑であった。そこで、回路基板の在庫負担を増大させることなく作業性を向上させることが望まれていた。
【０００７】
本発明は、斯かる事情に鑑みてなされたものであり、基板を取付部材に取り付ける取付箇所の電気的接続に応じて機種を設定することにより、基板を共通化して在庫負担を低減するとともに、別個の機種設定作業を不要にすることができる機種設定ユニット及び該機種設定ユニットを備える画像形成装置を提供することを目的とする。
【０００８】
また、本発明の他の目的は、基板と取付部材が電気的に接続されていない取付箇所に絶縁部材を備えることにより、確実に機種を設定することができる機種設定ユニット及び該機種設定ユニットを備える画像形成装置を提供する。
【０００９】
また、本発明の他の目的は、取付部材の接続部を取り外して基板と取付部材が電気的に接続されないようにすることで、簡単な作業で確実に機種を設定することができる機種設定ユニット及び該機種設定ユニットを備える画像形成装置を提供する。
【００１０】
また、本発明の他の目的は、基板と取付部材との取付箇所の電圧を検出し、検出した電圧に応じて機種を設定することにより、簡便な構成で機種を設定することができる機種設定ユニット及び該機種設定ユニットを備える画像形成装置を提供する。
【００１１】
また、本発明の他の目的は、基板の取付箇所の電位を接続部材で接地レベルにすることにより、基板を取付部材に取り付けるだけで、別個の設定作業をすることなく機種を設定することができる機種設定ユニット及び該機種設定ユニットを備える画像形成装置を提供する。
【００１２】
また、本発明の他の目的は、螺子で基板を取付部材に取り付けるとともに、絶縁部材で螺子を挿通する挿通孔を遮蔽することにより、誤って機種が設定されることを確実に防止することができる機種設定ユニット及び該機種設定ユニットを備える画像形成装置を提供する。
【００１３】
また、本発明の他の目的は、基板の取付箇所をスルーホール構造にすることにより、螺子で基板を取り付ける場合に、確実に機種を設定することができる機種設定ユニット及び該機種設定ユニットを備える画像形成装置を提供する。
【００１４】
また、本発明の他の目的は、基板を筐体又は該筐体に固定した板状体に取り付ける構造にすることで、取り付け構造を簡単にすることができる機種設定ユニット及び該機種設定ユニットを備える画像形成装置を提供する。
【課題を解決するための手段】
【００１５】
本発明に係る機種設定ユニットは、設定により複数の機種のいずれかに使用可能な基板と、該基板を複数の取付箇所で取り付け可能な金属製の取付部材とを備え、電気機器の機種を設定する機種設定ユニットにおいて、前記基板の取付箇所に導電性パターンを形成してあり、前記取付箇所で前記導電性パターン及び取付部材を電気的に接続する接続部材と、前記取付箇所それぞれの電気的接続に応じていずれかの機種を設定する機種設定手段と  を備えることを特徴とする。
【００１６】
本発明に係る機種設定ユニットは、前記接続部材が接続されていない取付箇所に前記基板の導電性パターン及び取付部材を絶縁する絶縁部材を備えることを特徴とする。
【００１７】
本発明に係る機種設定ユニットは、前記取付部材の取付箇所に前記基板の導電性パターンと当接する取り外し可能な接続部を備え、前記接続部材が接続されていない取付箇所で前記接続部を取り外してあることを特徴とする。
【００１８】
本発明に係る機種設定ユニットは、前記基板の各取付箇所に所定の電圧を印加する電圧印加手段と、前記取付箇所それぞれの電圧を検出する電圧検出手段とを備え、前記機種設定手段は、前記電圧検出手段で検出した電圧に応じて機種を設定するように構成してあることを特徴とする。
【００１９】
本発明に係る機種設定ユニットは、前記取付部材は、接地レベルの電位にしてあり、前記接続部材は、前記基板の取付箇所の電位を接地レベルにするように構成してあることを特徴とする。
【００２０】
本発明に係る機種設定ユニットは、前記接続部材は、螺子であり、前記基板及び取付部材それぞれは、前記螺子を挿通する挿通孔を備え、前記絶縁部材は、前記挿通孔を遮蔽するように設けてあることを特徴とする。
【００２１】
本発明に係る機種設定ユニットは、前記取付箇所で前記基板の両面に導電性パターンを形成してあり、該導電性パターンに接続された導電性パターンを前記挿通孔表面に形成してあることを特徴とする。
【００２２】
本発明に係る機種設定ユニットは、前記取付部材は、筐体又は該筐体に固定した板状体であることを特徴とする。
【００２３】
本発明に係る画像形成装置は、前述の発明のいずれか１つに係る機種設定ユニットと、該機種設定ユニットで設定した機種に応じた処理を行う画像形成処理部とを備えることを特徴とする。
【００２４】
本発明にあっては、接続部材は、基板と取付部材との取付箇所で基板の導電性パターン及び取付部材を電気的に接続する。機種設定手段は、取付箇所それぞれの電気的接続に応じていずれかの機種を設定する。例えば、取付箇所が４箇所ある場合、４箇所の取付箇所のうち、いずれの箇所が電気的に接続されているかに応じて機種を設定することができる。これにより、基板を取付部材に取り付けるだけで機種を設定することができ、基板を共通化して在庫負担を低減するとともに、別個の機種設定作業を不要にすることができる。
【００２５】
本発明にあっては、絶縁部材は、基板の導電性パターン及び取付部材を絶縁する。これにより、接続部材が接続されていない取付箇所を絶縁して確実に機種を設定することができる。
【００２６】
本発明にあっては、取付部材は、取付箇所で基板の導電性パターンに当接する取り外し可能な接続部を備え、接続部材を取り外すことにより基板の導電性パターンと取付部材との電気的接続を阻止することができる。これにより、簡単な取り外し作業で確実に機種を設定することができる。
【００２７】
本発明にあっては、電圧印加手段は、基板の導電性パターンを通じて取付箇所に所定の電圧を印加する。電圧検出手段は取付箇所の電圧を検出する。機種設定手段は検出された電圧に応じて機種を設定する。これにより、簡便な構成で機種を設定することができる。
【００２８】
本発明にあっては、取付部材は接地レベルの電位にしてあり、接続部材は、基板を取付部材に取り付けることにより基板の取付箇所の電位を接地レベルにする。これにより、基板を取付部材に取り付けるだけで、別個の設定作業をすることなく機種を設定することができる。
【００２９】
本発明にあっては、螺子を基板及び取付部材に設けられた挿通孔に挿通して基板を取付部材に取り付けるとともに、絶縁部材は、挿通孔を遮蔽することにより、誤って機種が設定されることを確実に防止することができる。
【００３０】
本発明にあっては、取付箇所で基板の両面に導電性パターンを形成してあり、基板の挿通孔表面に形成された導電性パターンに接続されたスルーホール構造にしてある。これにより、螺子で基板を取り付ける場合に、確実に機種を設定することができる。
【００３１】
本発明にあっては、基板を筐体又は該筐体に固定した板状体に取り付ける構造にすることで、取り付け構造を簡単にすることができる。
【発明の効果】
【００３２】
本発明にあっては、基板を共通化して在庫負担を低減するとともに、別個の機種設定作業を不要にすることができる。
【００３３】
本発明にあっては、接続部材が接続されていない取付箇所を絶縁して確実に機種を設定することができる。
【００３４】
本発明にあっては、簡単な取り外し作業で確実に機種を設定することができる。
【００３５】
本発明にあっては、簡便な構成で機種を設定することができる。
【００３６】
本発明にあっては、基板を取付部材に取り付けるだけで、別個の設定作業をすることなく機種を設定することができる。
【００３７】
本発明にあっては、誤って機種が設定されることを確実に防止することができる。
【００３８】
本発明にあっては、螺子で基板を取り付ける場合に、確実に機種を設定することができる。
【００３９】
本発明にあっては、取り付け構造を簡単にすることができる。
【発明を実施するための最良の形態】
【００４０】
以下、本発明に係る機種設定ユニットを実施の形態を示す図面に基づいて説明する。図１は本発明に係る機種設定ユニットの構成を示す模式図である。機種設定ユニットは、矩形状の金属製の固定板１０、固定板１０と略同寸法の基板２０などを備えている。なお、固定板１０、基板２０の形状は矩形状に限定されるものではなく、どのような形状であってもよい。
【００４１】
固定板１０の四隅には、基板２０を取り付けるための取付部１１、１２、１３、１４を設けている。取付部１１は、基板２０を支持するためのＬ字状の取付座１１ｂを立設してあり、後述する金属製の螺子５を螺嵌するための孔１１ａが取付座１１ｂに形成されている。他の取付部１２、１３、１４についても、同様に、取付座１２ｂ、１３ｂ、１４ｂを立設し、孔１２ａ、１３ａ、１４ａを形成してある。また、固定板１０は、装置の筐体に接地されている。なお、固定板１０に代えて、装置の筐体を固定板１０の如く形成することもできる。
【００４２】
基板２０の四隅には、基板２０を取付板１０に取り付けた状態で、固定板１０の取付部１１、１２、１３、１４に対応する位置に取付部２１、２２、２３、２４を設けている。各取付部２１〜２４には、孔１１ａ、１２ａ、１３ａ、１４ａに対応する位置に挿通孔２１ａ、２２ａ、２３ａ、２４ａを形成してある。挿通孔２１ａ、２２ａ、２３ａの表面には導電性パターンを形成してあり、基板２０の挿通孔２１ａ、２２ａ、２３ａ付近の両面にも導電性パターン２１ｂ、２２ｂ、２３ｂを形成してあり、挿通孔２１ａ〜２３ａはスルーホール構造にしてある。
【００４３】
基板２０を固定板１０に取り付ける場合には、孔１１ａ、１２ａ、１３ａ、１４ａに挿通孔２１ａ、２２ａ、２３ａ、２４ａを合わせた状態で、螺子５を基板２０の挿通孔２１ａ〜２４ａに挿通し、孔１１ａ〜１４ａに螺挿して固定する。これにより、導電性パターン２１ｂ、２２ｂ、２３ｂの電位は、螺子５を通じて接地レベルの電位に保持することができる。
【００４４】
基板２０には、機種情報設定部３１、制御部３２、ＲＯＭ３３、ＲＡＭ３４、インタフェース部３５などの回路部品を実装している。取付部２１、２２、２３の導電性パターン２１ｂ、２２ｂ、２３ｂは、機種情報設定部３１に接続されている。
【００４５】
図２は機種情報設定部３１の構成を示すブロック図である。機種情報設定部３１は、電源部３１１、抵抗３１２〜３１２、ＣＰＵ３１３などを備えている。機種情報設定部３１は、基板２０の取付部２１、２２、２３の導電性パターン２１ｂ、２２ｂ、２３ｂそれぞれに抵抗３１２を通じて電圧Ｖｃｃを印加している。なお、電源部３１１は、機種情報設定部３１に内蔵する構成に限定されるものではなく、外部電源を用いることもできる。
【００４６】
ＣＰＵ３１３は、取付部２１、２２、２３の電位を検出する。例えば、取付部２１、２２、２３に螺子５を固定した場合には、ＣＰＵ３１３は、接地レベルの電位を検出する。また、取付部２１、２２、２３に螺子５を固定していない場合には、ＣＰＵ３１３は、所定の電圧Ｖｃｃを検出する。なお、取付部２１、２２、２３に螺子５を固定していない場合には、後述する絶縁シート５１、５２、５３を基板２０と固定板１０との間に装着し、螺子５の挿通を阻止することにより、確実に取付部２１、２２、２３の電位をＶｃｃに保持することができる。
【００４７】
図３は機種判定の例を示す説明図である。図３に示すように、ＣＰＵ３１３は、取付部２１、２２、２３の電位が、それぞれＶｃｃ、０、０である場合に対応して機種情報Ｌを記憶しておき、この場合の機種を下位機種であると判定する。また、ＣＰＵ３１３は、取付部２１、２２、２３の電位が、それぞれ０、Ｖｃｃ、０である場合に対応して機種情報Ｍを記憶しておき、この場合の機種を中位機種であると判定する。
【００４８】
また、ＣＰＵ３１３は、取付部２１、２２、２３の電位が、それぞれ０、０、Ｖｃｃである場合に対応して機種情報Ｈを記憶しておき、この場合の機種を上位機種であると判定する。なお、機種判定は、一例であって、これに限定されるものではない。例えば、取付部の数、組み合わせは適宜決定することができ、また、機種判定も上位、中位、下位に限定されるものではない。
【００４９】
ＣＰＵ３１３は、判定した機種情報を制御部３２へ出力する。
【００５０】
制御部３２は、機種情報設定部３１から出力された機種情報に応じて、例えば、予めＲＯＭ３３に格納した機種毎の制御プログラム（例えば、上位機種プログラム、中位機種プログラム、下位機種プログラムなど）の中から、判定された機種に対応する制御プログラムを読み出す。制御部３２は、読み出した制御プログラムをＲＡＭ３４にロードして実行することにより、機種に対応した処理を実行する。
【００５１】
また、制御部３２は、インタフェース部３５を通じて、センサ４１、ドライバ４２、機種毎に特性が異なるモータ／ソレノイド４３などとの間で機種に応じた処理を行うためのデータの入出力を行う。
【００５２】
図４は絶縁シート５１、５２、５３の取り付け例を示す説明図である。図４（ａ）に示すように、絶縁シート５１を固定板１０の取付部１１と基板２０の取付部２１との間に装着する。これにより、取付部１１と取付部２１とは絶縁される。この場合、設定される機種は下位機種（低速機）である。
【００５３】
また、図４（ｂ）に示すように、絶縁シート５２を固定板１０の取付部１２と基板２０の取付部２２との間に装着する。これにより、取付部１２と取付部２２とは絶縁される。この場合、設定される機種は中位機種（中速機）である。
【００５４】
また、図４（ｃ）に示すように、絶縁シート５３を固定板１０の取付部１３と基板２０の取付部２３との間に装着する。これにより、取付部１３と取付部２３とは絶縁される。この場合、設定される機種は上位機種（高速機）である。なお、絶縁シート５１、５２、５３は、電気的接続を阻止できるものであれば、どのような材質のものでもよく、また、形状、大きさ、厚み等も適宜設定することができる。
【００５５】
図５は固定板１０への基板２０の取り付け例を示す斜視図である。図５（ａ）〜図５（ｃ）は、それぞれ図４（ａ）〜図４（ｃ）に対応している。図５に示すように、螺子５で固定板１０に基板２０を取り付けるだけで機種の設定をすることができる。基板２０を機種に関わらず共通にすることができる。また、基板２０を取り付ける固定板１０も共通化することができる。さらに、ＤＩＰスイッチのような別個の設定作業も不要であり、在庫負担の低減と作業性の向上を図ることができる。
【００５６】
図６は固定板１０への基板２０の取り付け例を示す模式図である。図６に示すように、螺子５で固定板１０に基板２０を取り付けるだけで機種の設定をすることができる。すなわち、螺子５を締め付けることにより、基板２０の導電性パターン２１ｂ、２２ｂは、それぞれ取付座１１ｂ、１２ｂに圧接して電気的に接続されるとともに、螺子５を挿通孔２１ａ、２２ａに挿通し、螺子５を通じて電気的に接続される。
【００５７】
図７は固定板１０への基板２０の他の取り付け例を示す模式図である。図７に示すように、取付座１１ｂ、１２ｂ、１３ｂ、１４ｂを取り外し可能に形成しておく。例えば、指で押さえることで簡単に切り取ることができる程度に切り込み溝などを予め形成しておく。螺子５を取り付けない箇所の取付座１１ｂを切り取ることにより、導電性パターン２１ｂと固定板１０との間を絶縁することができる。この場合には、絶縁シート５１〜５３を用いる必要がなくなる。
【００５８】
上述の例では、基板２０の取り付けに螺子５を用いる場合について説明したが、螺子５に限定されるものではなく、金属製のピンを嵌合させるような構成にすることもできる。また、固定板１０に金属製のピンを立設しておき、基板２０のスルーホールに嵌合させるような構成にすることもできる。この場合には、ピンを切り取ることで電気的接続を阻止することができる。
【００５９】
図８は機種情報設定部３１の処理手順を示すフローチャートである。なお、以下の処理は、基板２０を固定板１０に取り付けた後、例えば、電源が投入されて基板２０の機能を初期化するような場合に行われる。機種情報設定部３１は、取付箇所（取付部２１、２２、２３）の電圧を検出し（Ｓ１１）、機種情報を取得する（Ｓ１２）。
【００６０】
機種情報設定部３１は、取得した機種情報が機種情報Ｈであるか否かを判定し（Ｓ１３）、機種情報Ｈである場合（Ｓ１３でＹＥＳ）、上位機種と判定し、制御部３２に上位機種プログラムを選択するよう通知し（Ｓ１４）、処理を終了する。
【００６１】
機種情報Ｈでない場合（Ｓ１３でＮＯ）、機種情報設定部３１は、取得した機種情報が機種情報Ｍであるか否かを判定し（Ｓ１５）、機種情報Ｍである場合（Ｓ１５でＹＥＳ）、中位機種と判定し、制御部３２に中位機種プログラムを選択するよう通知し（Ｓ１６）、処理を終了する。
【００６２】
機種情報Ｍでない場合（Ｓ１５でＮＯ）、機種情報設定部３１は、取得した機種情報が機種情報Ｌであるか否かを判定し（Ｓ１７）、機種情報Ｌである場合（Ｓ１７でＹＥＳ）、下位機種と判定し、制御部３２に下位機種プログラムを選択するよう通知し（Ｓ１８）、処理を終了する。
【００６３】
機種情報Ｌでない場合（Ｓ１７でＮＯ）、機種情報設定部３１は、エラー表示を行い（Ｓ１９）、処理を終了する。
【００６４】
図９は本発明に係る機種情報設定装置を備える画像形成装置の要部構成を示すブロック図である。図９に示すように、画像形成装置は、例えば、画像形成に関する処理を複数の基板に実装された回路により実現している。画像形成装置は、機種情報設定部３１を有する操作表示部制御基板１００、メイン制御基板１１０、印字部制御基板１２０、画像処理部制御基板１３０、原稿読取部制御基板１４０などを備え、各基板はハーネスにより相互に接続されている。
【００６５】
操作表示部制御基板１００、メイン制御基板１１０、印字部制御基板１２０、画像処理部制御基板１３０、原稿読取部制御基板１４０それぞれは、制御部３２、１１１、１２１、１３１、１４１を備え、予め機種毎に対応した制御プログラムを格納してあり、機種情報設定部３１から出力される機種情報に応じた制御プログラムを実行するようになっている。
【００６６】
操作表示部制御基板１００を上述の基板２０と同様の構成にすることにより、操作表示部制御基板１００を固定板（不図示）に固定するだけで、機種情報設定部３１は、機種を設定し、設定した機種情報を各基板へ出力し、画像形成装置全体を設定した機種に応じて動作するように構成することができる。
【００６７】
なお、上述の例では、操作表示部制御基板１００に機種情報設定部３１を備える構成であったが、これに限定されるものではなく、メイン制御基板１１０、印字部制御基板１２０、画像処理部制御基板１３０、原稿読取部制御基板１４０それぞれに機種情報設定部を設け、各基板を固定板へ取り付ける際に個別に機種を設定する構成とすることもできる。
【００６８】
以上説明したように、本発明にあっては、基板を共通化して在庫負担を低減するとともに、別個の機種設定作業を不要にすることができる。また、螺子が接続されていない取付箇所を絶縁して確実に機種を設定することができる。また、取付座を切り取る如く簡単な取り外し作業で確実に機種を設定することができる。また、簡便な構成で機種を設定することができる。また、誤って機種が設定されることを確実に防止することができる。さらに、取り付け構造を簡単にすることができる。
【図面の簡単な説明】
【００６９】
【図１】本発明に係る機種設定ユニットの構成を示す模式図である。
【図２】機種情報設定部の構成を示すブロック図である。
【図３】機種判定の例を示す説明図である。
【図４】絶縁シートの取り付け例を示す説明図である。
【図５】固定板への基板の取り付け例を示す斜視図である。
【図６】固定板への基板の取り付け例を示す模式図である。
【図７】固定板への基板の他の取り付け例を示す模式図である。
【図８】機種情報設定部の処理手順を示すフローチャートである。
【図９】本発明に係る機種情報設定装置を備える画像形成装置の要部構成を示すブロック図である。
【符号の説明】
【００７０】
５  螺子（接続部材）
１０  固定板（取付部材）
１１、１２、１３、１４  取付部
１１ａ、１２ａ、１３ａ、１４ａ  孔
１１ｂ、１２ｂ、１３ｂ、１４ｂ  取付座（接続部）
２０  基板
２１、２２、２３、２４  取付部
２１ａ、２２ａ、２３ａ、２４ａ  挿通孔
２１ｂ、２２ｂ、２３ｂ  導電性パターン
３１  機種情報設定部
３２  制御部
３３  ＲＯＭ
３４  ＲＡＭ
３５  インタフェース部
５１、５２、５３  絶縁シート
１００  操作表示部制御基板
１１０  メイン制御基板
１２０  印字部制御基板
１３０  画像処理部制御基板
１４０  原稿読取部制御基板
３１１  電源部
３１２  抵抗
３１３  ＣＰＵ
【図１】
2008225371.tif 000003
【図２】
2008225371.tif 000004
【図３】
2008225371.tif 000005
【図４】
2008225371.tif 000006
【図５】
2008225371.tif 000007
【図６】
2008225371.tif 000008
【図７】
2008225371.tif 000009
【図８】
2008225371.tif 000010
【図９】
2008225371.tif 000011